(57)【特許請求の範囲】
【請求項１】
アンテナと、当該アンテナに設けられたＩＣチップと、を有するＩＣタグと、
前記ＩＣタグを支持するラベル基材と、
を備え、
前記アンテナは、前記ＩＣチップが載置され、当該ＩＣチップに給電する給電領域と、電磁波を受信しかつ送信する放射領域と、前記給電領域と前記放射領域とに接続された伝送領域と、を有し、
前記ラベル基材は、書籍に対して取り付け可能な取付部と、当該取付部に隣接して設けられ、当該取付部が前記書籍に取り付けられた状態で当該書籍の外方に突出される突出部と、を有し、
前記アンテナの前記放射領域の少なくとも一部は、前記突出部に設けられ、
前記取付部は、書籍の一部を間に挟んだ状態で当該書籍の内部に挿入可能な一対の挿入片を有し、
前記突出部は、一方の挿入片の一側の端部の一部から更に一側に延伸するように設けられ、
他方の挿入片は、前記一方の挿入片の前記一側の端部の別の一部から更に一側に延伸するように設けられるとともに、当該一側の端部の前記別の一部に設けられた折り畳み線を介して前記一方の挿入片と向かい合うように折り畳み可能である
ことを特徴とするＩＣタグラベル。
【請求項２】
前記他方の挿入片には、前記突出部に対応する切り欠きが形成されている
ことを特徴とする請求項１に記載のＩＣタグラベル。
【発明の詳細な説明】
【技術分野】
【０００１】
本発明は、電磁波を利用してデータの読み書きを行うＩＣタグラベルに関する。
【背景技術】
【０００２】
従来より、電磁波を利用してデータの読み書きを行うＩＣタグラベルとして、書籍に取り付けられるＩＣタグラベルが知られている（たとえば、特許文献１、２参照）。
【０００３】
このようなＩＣタグラベルは、アンテナと、アンテナ上に設けられたＩＣチップと、を有するＩＣタグと、このＩＣタグを支持するラベル基材と、を備えており、このＩＣタグに外部のリーダライタから電磁波を照射することにより、アンテナに電流を生じさせ、ＩＣチップを駆動している。
【０００４】
ＩＣタグラベルでは、数百キロヘルツの長波や、数十メガヘルツの短波、数百メガヘルツのＵＨＦ波、数ギガヘルツのマイクロ波など、様々な周波数が使われており、国によっても若干違う。周波数によって、交信距離や指向性、通信速度やノイズや電波障害の特性が異なり、利用目的や周囲環境に合わせた選択が必要になる。特にＵＨＦ帯は、交信距離が数ｍと長いため、書籍の棚卸し作業に適しているが、金属や液体の存在により電場障害が生じやすい。
【０００５】
書籍の中には、表紙に意匠として金属材料が使われていたり、頁内にＣＤ、ＤＶＤ等の金属含有媒体が挟まれているものがある。このような金属を含む書籍にＩＣタグラベルが取り付けられる場合、金属の影響によりＩＣタグが読み取り不能となる。また、このような金属を含む書籍が金属を含まない書籍に積層されていると、金属を含まない書籍に取り付けられたＩＣタグも読み取りできなくなることがある。
【０００６】
このような問題を解決するために、ＩＣタグラベルを立体的な形状をもつように構成することで、ＩＣタグラベルが貼り付けられる被貼付物とＩＣタグラベルのＩＣタグとの間の距離を離すという方法が考えられているが、この方法では、立体的な形状を構成するため製造コストが高くなってしまう。
【先行技術文献】
【特許文献】
【０００７】
【特許文献１】特開２００６−３０５７３９号公報
【特許文献２】特許第５５３７０７７号公報
【発明の概要】
【発明が解決しようとする課題】
【０００８】
本発明は、以上のような問題点に着目し、これを有効に解決すべく創案されたものである。本発明の目的は、金属を含む書籍に取り付けられる場合でも、精度良くデータの読み書きを行うことができ、かつ構造が簡単なＩＣタグラベルを提供することである。
【課題を解決するための手段】
【０００９】
本発明のＩＣタグラベルは、
アンテナと、当該アンテナに設けられたＩＣチップと、を有するＩＣタグと、
前記ＩＣタグを支持するラベル基材と、
を備え、
前記アンテナは、前記ＩＣチップが載置され、当該ＩＣチップに給電する給電領域と、電磁波を受信しかつ送信する放射領域と、前記給電領域と前記放射領域とに接続された伝送領域と、を有し、
前記ラベル基材は、書籍に対して取り付け可能な取付部と、当該取付部に隣接して設けられ、当該取付部が前記書籍に取り付けられた状態で当該書籍の外方に突出される突出部と、を有し、
前記アンテナの前記放射領域の少なくとも一部は、前記突出部に設けられている。
【００１０】
本発明のＩＣタグラベルにおいて、前記取付部は、書籍の一部を間に挟んだ状態で当該書籍の内部に挿入可能な一対の挿入片を有していてもよい。
【００１１】
本発明のＩＣタグラベルにおいて、前記突出部は、一方の挿入片の一側の端部の一部から更に一側に延伸するように設けられ、他方の挿入片は、前記一方の挿入片の前記一側の端部の別の一部から更に一側に延伸するように設けられるとともに、当該一側の端部の前記別の一部に設けられた折り畳み線を介して前記一方の挿入片と向かい合うように折り畳み可能であってもよい。
【００１２】
本発明のＩＣタグラベルにおいて、前記他方の挿入片には、前記突出部に対応する切り欠きが形成されていてもよい。
【００１３】
本発明のＩＣタグラベルにおいて、一方の挿入片は、前記突出部の一側の端部から更に一側に延伸するように設けられ、他方の挿入片は、前記突出部の他側の端部から更に他側に延伸するように設けられ、前記突出部は、折り畳み線を介して２つ折りに折畳まれた状態で互いに接着可能な一対の突出要素を有していてもよい。
【００１４】
本発明のＩＣタグラベルにおいて、前記取付部には、接着層を介して剥離シートが接着されていてもよい。
【発明の効果】
【００１５】
本発明によれば、金属を含む書籍に取り付けられる場合でも、精度良くデータの読み書きを行うことができ、かつ構造が簡単なＩＣタグラベルを提供することができる。
【図面の簡単な説明】
【００１６】
【図１】図１は、本発明の一実施の形態によるＩＣタグラベルを示す平面図である。
【図２】図２は、図１のＩＣタグラベルの断面図である。
【図３】図３は、図１のＩＣタグラベルが折り畳まれた状態を示す模式図である。
【図４】図４は、図１のＩＣタグラベルが書籍に取り付けられた状態を示す模式図である。
【図５】図５は、図１のＩＣタグラベルの第１の変形例を示す平面図である。
【図６】図６は、図５のＩＣタグラベルの断面図である。
【図７】図７は、図５のＩＣタグラベルが折り畳まれた状態を示す模式図である。
【図８】図８は、図５のＩＣタグラベルが折り畳まれた状態を示す断面図である。
【図９】図９は、図１のＩＣタグラベルの第２の変形例を示す平面図である。
【図１０】図１０は、図９のＩＣタグラベルの断面図である。
【図１１】図１１は、図９のＩＣタグラベルが書籍に取り付けられた状態を示す断面図である。
【図１２】図１２は、図９のＩＣタグラベルが書籍に取り付けられた状態を示す模式図である。
【発明を実施するための形態】
【００１７】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。
【００１８】
図１は、本発明の一実施の形態によるＩＣタグラベルを示す平面図である。図２は、図１のＩＣタグラベルの断面図である。
【００１９】
図１および図２に示すように、本実施の形態によるＩＣタグラベル１は、ＩＣタグ１０と、ＩＣタグ１０を支持するラベル基材２０と、を備えている。
【００２０】
このうちＩＣタグ１０は、インレットフィルム１１と、インレットフィルムに設けられたアンテナ１２と、アンテナ１２に設けられたＩＣチップ１３と、を有している。インレットフィルム１１としては、たとえば、ポリエチレンテレフタラート（ＰＥＴ）等の合成樹脂製のフィルムを用いることができる。また、アンテナ１２としては、たとえば、アルミニウム等の金属製のアンテナを用いることができる。
【００２１】
図１に示すように、アンテナ１２は、ＩＣチップ１３が載置され、当該ＩＣチップ１３に給電する給電領域１２ａと、電磁波を受信しかつ送信する放射領域１２ｂと、給電領域１２ａと放射領域１２ｂとに接続された伝送領域１２ｃと、を有している。
【００２２】
ＩＣチップ１３は、アンテナ１２に電気的に接続されている。ＩＣチップ１３には、メモリが内蔵されており、このメモリには、通常、書き換えできないシステム領域と、書き換え可能なユーザデータ領域とが含まれる（書き換え可能な領域を持たないものもある）。ＩＣチップ１３のメモリには、チップごとにユニークなコード等が書き込まれており、個々のチップが識別できるようになっている。これにより、このＩＣチップ１３を含むＩＣタグ１０を書籍に取り付ける場合、同じタイトルの書籍であってもＩＣタグ１０のコードで区別することが可能である。
【００２３】
このアンテナ１２に、外部のリーダライタからの電磁波が当たると、アンテナ１２に電流が生じ、この電流を使ってＩＣチップ１３が駆動される。ＩＣチップ１３は、リーダライタから送られてくるデータを受信するとともに、自らのメモリに格納されている情報を無線で送信するようになっている。本実施の形態のＩＣタグ１０では、データの受信および送信時に、たとえば、ＵＨＦ帯の電磁波が使用される。
【００２４】
図２に示すように、このようなＩＣタグ１０は、ラベル基材２０に接着層２６を介して接着されており、ＩＣタグ１０のＩＣチップ１３側には、接着層１６を介して保護フィルム１５が接着されている。保護フィルム１５としては、ポリエチレンテレフタラート（ＰＥＴ）、ポリプロピレン（ＰＰ）等の合成樹脂製のフィルムまたは紙等を用いることができる。また、接着層１６、２６としては、いずれも同様の材料の接着剤を用いることができ、例えば、ゴム系樹脂接着剤、アクリル系樹脂接着剤、あるいは水糊系接着剤を用いることができる。接着層１６、２６の特性は、強粘着性、弱粘着性および再剥離性のいずれかから選択可能である。
【００２５】
なお、ＩＣタグ１０のインレットフィルム１１は、必ずしも必須では無く、省略されてもよい。この場合、接着層２６を介さずに、ラベル基材２０上に直接アンテナ１２が形成されてもよい。
【００２６】
図１および図２に示すように、ラベル基材２０は、細長形状を有している。ラベル基材２０としては、たとえば、ポリエチレンテレフタラート（ＰＥＴ）、ポリプロピレン（ＰＰ）等の合成樹脂製のフィルムまたは紙等を用いることができる。
【００２７】
ラベル基材２０は、書籍に対して取り付け可能な取付部２１と、取付部２１に隣接して設けられ、取付部２１が書籍に取り付けられた状態で当該書籍の外方に突出される突出部２３と、を有している。
【００２８】
より詳しくは、取付部２１は、書籍の一部を間に挟んだ状態で当該書籍の内部に挿入可能な一対の挿入片２１ａ、２１ｂを有している。
【００２９】
図示された例では、突出部２３は、一方の挿入片２１ａの右側端部のうち幅方向中央部から更に右側に延伸するように設けられており、他方の挿入片２１ｂは、一方の挿入片２１ａの右側端部のうち幅方向中央部の外側の幅方向外側部分から更に右側に延伸するように設けられるとともに、当該右側端部の幅方向外側部分に設けられた折り畳み線２２を介して一方の挿入片２１ａと向かい合うように折り畳み可能となっている。
【００３０】
このような構成を有するラベル基材２０の作製方法の一例を説明すると、まず、アンテナ１２の放射領域１２ｂの少なくとも一部を取り囲むように「コ」字形状または「Ｕ」字形状の切り込み線３０がラベル基材２０に形成され、次に、切り込み線３０の始点および終点から幅方向外側に向かって折り畳み線２２が引かれる。これにより、切り込み線３０の内側に突出部２３が規定され、切り込み線３０の外側には折り畳み線２２を介して折り畳み可能な一対の挿入片２１ａ、２１ｂが規定される。このような作製方法により、一対の挿入片２１ａ、２１ｂと突出部２３とを有するラベル基材２０が極めて容易に作製され得る。この作成方法では、一方の挿入片２１ｂに、突出部２３に対応する切り欠き２４が形成される。
【００３１】
本実施の形態では、図１に示すように、アンテナ１２の放射領域１２ｂの少なくとも一部は、ラベル基材２０の突出部２３に設けられている。図示された例では、放射領域１２ｂのうち半分以上が突出部２３に設けられている。放射領域１２ｂのうち突出部２３に設けられている部分が大きいほど、通信距離が長くなるため好ましい。
【００３２】
また、本実施の形態では、図１および図２に示すように、ラベル基材２０の一対の挿入片２１ａ、２１ｂの少なくとも一方２１ｂには、書籍に関する情報を表示する表示部１９が設けられている。表示部１９は、具体的には、たとえば、ラベル基材２０上に印字されることにより形成されている。ここで、表示部１９が表示する情報、すなわちラベル基材２０上に印字される情報は、書名、著者名、発行所、価格、ＩＳＢＮのうちの１つまたは２つ以上を含んでもよい。また、表示部１９が表示する情報、すなわちラベル基材２０上に印字される情報は、ＩＣチップ１３のメモリに記憶されているチップごとにユニークな情報、または、当該ユニークな情報に一意に関連する文字・数字、または光学認識可能なコード、であってもよい。図示された例では、表示部１９は、一方の挿入片２１ｂにのみ設けられているが、両方の挿入片２１ａ、２１ｂに設けられていてもよい。このようにラベル基材２０に表示部１９が設けられていることで、ＩＣタグラベル１を、たとえば書籍発注用のスリップとして使用することが可能となる。
【００３３】
なお、ＩＣタグラベル１全体の厚みとしては、たとえば、０．１ｍｍ〜０．５ｍｍとなっている。図面では、理解を容易にするために各層の厚みを誇張して表示している。
【００３４】
次に、このような構成からなる本実施の形態の作用について説明する。
【００３５】
まず、図３に示すように、ラベル基材２０のうち一対の挿入片２１ａ、２１ｂが、突出部２３をそのまま残しながら、折り畳み線２２を介して２つ折りに折り畳まれる。この時、一対の挿入片２１ａ、２１ｂは、表示部１９が外側に露出する向きに折り畳まれることが好ましい。
【００３６】
次に、図４に示すように、一対の挿入片２１ａ、２１ｂが、当該一対の挿入片２１ａ、２１ｂの間に書籍２の一部を挟んだ状態で、書籍２の上端面から内部に挿入される。この場合、ラベル基材２０が重力により落下しても、一対の挿入片２１ａ、２１ｂの間に挟まれた書籍２の一部の上端面が、ラベル基材２０の折り畳み線２２に当接することで、ラベル基材２０の更なる落下が防止される。これにより、ラベル基材２０全体が書籍２の内部に没入することが防止され、突出部２３は書籍２の外方に突出された状態で維持される。
【００３７】
ところで、書籍２の中には、表紙に意匠として金属材料が使われていたり、頁内にＣＤ、ＤＶＤ等の金属含有媒体が挟まれているものがある。このような金属を含む書籍にＩＣタグラベル全体が隠れるように取り付けられていると、特にＵＨＦ帯の電磁波は金属面で反射するため、ＩＣタグラベルのＩＣタグに対して精度良くデータの読み書きを行うことができない。
【００３８】
一方、本実施の形態では、アンテナ１２の放射領域１２ｂの少なくとも一部が、ラベル基材２０の突出部２３に設けられているため、ＩＣタグラベル１を書籍２に取り付ける時に、アンテナ１２の放射領域１２ｂの少なくとも一部は、書籍２の外方に露出される。これにより、書籍２が金属を含む場合であっても、アンテナ１２の放射領域１２ｂは、外部のリーダライタ３との間で電磁波を受信し、あるいは送信することができる。このため、ＩＣタグ１０のＩＣチップ１３を精度よく作動させて、ＩＣチップ１３によるデータの読み取りおよび書き込みを確実に実行することができる。
【００３９】
本件発明者が、アルミ箔で全体が覆われた書籍を用意し、当該書籍の上端面からＩＣタグラベル１を挿入した状態で、リーダライタ３を用いてＩＣタグラベル１のＩＣタグ１０の読み取りを行ったところ、アンテナ１２の放射領域１２ｂ全体が書籍２の外方に露出している場合には、書籍２の背表紙から５ｃｍ離れた位置からＩＣタグ１０の情報を読み取ることができた。また、アンテナ１２の放射領域１２ｂの半分が書籍２の外方に露出している場合には、書籍２の背表紙から１５ｍｍ離れた位置からＩＣタグ１０の情報を読み取ることができた。
【００４０】
以上のように、本実施の形態によれば、ラベル基材２０が、書籍２に対して取り付け可能な取付部２１と、取付部２１に隣接して設けられ、取付部２１が書籍２に取り付けられた状態で当該書籍２の外方に突出される突出部２３と、を有し、アンテナ１２の放射領域１２ｂの少なくとも一部が突出部２３に設けられているため、簡単な構造でありながら、金属を含む書籍２に取り付けられる場合でも、ＩＣタグラベル１のＩＣタグ１０に対して精度良くデータの読み書きを行うことができる。
【００４１】
また、本実施の形態によれば、取付部２１の一対の挿入片２１ａ、２１ｂが書籍２の一部を間に挟んだ状態で当該書籍２の内部に挿入されることで、書籍２に対するＩＣタグラベル１の取付けが行われるため、突出部２３を掴んで挿入方向とは逆向きに引き出すことで、ＩＣタグラベル１を書籍２から容易に取り外すことができる。したがって、書籍２に対して容易に着脱可能なＩＣタグラベル１を得ることができる。
【００４２】
また、本実施の形態によれば、一対の挿入片２１ａ、２１ｂの少なくとも一方には、書籍に関する情報を表示する表示部１９が設けられているため、ＩＣタグラベル１を書籍発注用のスリップとして使用することもできる。書籍発注用のスリップは、通常、書籍の販売時に販売者によって回収され、購入者によって持ち出されることが無いため、ＩＣタグラベル１の再利用が可能であり、コストの増加を抑制できる。
【００４３】
なお、前述の実施の形態に対して様々な変更を加えることが可能である。以下、図面を参照しながら、変形の一例について説明する。以下の説明および以下の説明で用いる図面では、前述した実施の形態と同様に構成され得る部分について、前述の実施の形態における対応する部分に対して用いた符号と同一の符号を用いるとともに、重複する説明を省略する。
【００４４】
まず、第１の変形例について、図５〜図８を参照して説明する。
【００４５】
第１の変形例では、図５および図６に示すように、一方の挿入片２１ａは、突出部２３の左側端部から更に左側に延伸するように設けられ、他方の挿入片２１ｂは、突出部２３の右側端部から更に右側に延伸するように設けられている。
【００４６】
また、突出部２３は、折り畳み線２５を介して２つ折りに折畳まれた状態で互いに接着可能な一対の突出要素２３ａ、２３ｂを有している。図示された例では、ラベル基材２０上の接着層２６が、突出部２３の右側端部まで延ばされて設けられている。また、表示部１９は、ラベル基材２０に対して接着層２６とは反対側に設けられている。
【００４７】
このような構成からなる第１の変形例の作用について説明する。
【００４８】
まず、図７および８に示すように、突出部２３の一対の突出要素２３ａ、２３ｂが、折り畳み線２５を介して２つ折りに折畳まれ、一方の突出要素２３ｂは、接着層２６を介して保護フィルム１５に接着される。この時、一方の突出要素２３ｂは、接着層２６と保護フィルム１５と接着層２６とＩＣタグ１０と接着層２６とを順に介して他方の突出要素２３ａと接着されることになる。
【００４９】
次に、図４に示すように、一対の挿入片２１ａ、２１ｂが、当該一対の挿入片２１ａ、２１ｂの間に書籍２の一部を挟んだ状態で、書籍２の上端面から内部に挿入される。この場合、ラベル基材２０が重力により落下しても、一対の挿入片２１ａ、２１ｂの間に挟まれた書籍２の一部の上端面が、一方の突出要素２３ｂと保護フィルム１５との間の接着部分に当接することで、ラベル基材２０の更なる落下が防止される。これにより、ラベル基材２０全体が書籍２の内部に没入することが防止され、突出部２３は書籍２の外方に突出された状態で維持される。その後、前述の実施の形態と同様にして、外部のリーダライタ３を用いてＩＣタグラベル１のＩＣタグ１０に対してデータの読み書きが行われる。
【００５０】
以上のような第１の変形例によっても、前述の実施の形態と同様の作用効果が得られる。
【００５１】
次に、第２の変形例について、図９〜図１２を参照して説明する。
【００５２】
第２の変形例では、図１０に示すように、取付部２１には、接着層１６を介して剥離フィルム１７が接着されている。剥離フィルム１７としては、ポリエチレンテレフタラート（ＰＥＴ）、ポリプロピレン（ＰＰ）等の合成樹脂製のフィルムまたは紙等を用いることができる。一方、突出部２３には、前述の実施の形態と同様に、接着層１６を介して保護フィルム１５が接着されている。
【００５３】
このような構成からなる第２の変形例の作用について説明する。
【００５４】
まず、剥離フィルム１７が剥離され、接着層１６のうち取付部２１に対応する部分が露出される。
【００５５】
次に、図１１および図１２に示すように、取付部２１と突出部２３との間の境界線が書籍２の上端面と同じ高さ位置になるように位置決めされた状態で、ＩＣタグラベル１が書籍２の表表紙、裏表紙、または背表紙に対して接着層１６を介して接着される。これにより、突出部２３は書籍２の外方に突出された状態で維持される。
【００５６】
その後、前述の実施の形態と同様にして、外部のリーダライタ３を用いてＩＣタグラベル１のＩＣタグ１０に対してデータの読み書きが行われる。
【００５７】
以上のような第２の変形例によっても、ラベル基材２０が、書籍２に対して取り付け可能な取付部２１と、取付部２１に隣接して設けられ、取付部２１が書籍２に取り付けられた状態で当該書籍２の外方に突出される突出部２３と、を有し、アンテナ１２の放射領域１２ｂの少なくとも一部が突出部２３に設けられているため、簡単な構造でありながら、金属を含む書籍２に取り付けられる場合でも、ＩＣタグラベル１のＩＣタグ１０に対して精度良くデータの読み書きを行うことができる。
【符号の説明】
【００５８】
１      ＩＣタグラベル
２      書籍
３      リーダライタ
１０    ＩＣタグ
１１    インレットフィルム
１２    アンテナ
１２ａ  給電領域
１２ｂ  放射領域
１２ｃ  伝送領域
１３    ＩＣチップ
１５    保護フィルム
１６    接着層
１７    剥離フィルム
１９    表示部
２０    ラベル基材
２１    接着層
２１ａ、２１ｂ    一対の挿入片
２２    折り畳み線
２３    突出部
２３ａ、２３ｂ    一対の突出要素
２４    切り欠き
２５    折り畳み線
３０    切り込み線
【図１】
0006439344.tif 000002
【図２】
0006439344.tif 000003
【図３】
0006439344.tif 000004
【図４】
0006439344.tif 000005
【図５】
0006439344.tif 000006
【図６】
0006439344.tif 000007
【図７】
0006439344.tif 000008
【図８】
0006439344.tif 000009
【図９】
0006439344.tif 000010
【図１０】
0006439344.tif 000011
【図１１】
0006439344.tif 000012
【図１２】
0006439344.tif 000013